(57)【要約】【課題】  表示部を有する第１筐体と、撮像部を有する第２筐体を備えて、第１筐体と第２筐体が、隣り合うように互いの長さ方向に並んで配置されると共に、これらの長さ方向と略平行である軸線を中心として回動自在に連結される撮像装置を載置したままの状態で、この撮像装置の撮像部の撮像方向を調節することができるクレードルを提供する。【解決手段】  表示部３２を有する第１筐体３４と、撮像部３６を有する第２筐体３８を備えて、第１筐体と第２筐体とが所定の回動軸回りで回動自在に連結した撮像装置４１のクレードル４２であって、第１筐体を支持する支持部４４と、第２筐体の第１筐体に対する回動を許容する逃げ部４６とが形成されるようにした。【効果】  撮像装置を載置したままの状態で、この撮像装置の撮像部の撮像方向を調節することができる。【選択図】      図１
2005191704.tif 000002
【特許請求の範囲】
【請求項１】
表示部を有する第１筐体と、撮像部を有する第２筐体を備えて、前記第１筐体と前記第２筐体とが所定の回動軸回りで回動自在に連結した撮像装置のクレードルであって、
前記第１筐体を支持する支持部と、
前記第２筐体の前記第１筐体に対する回動を許容する逃げ部と
が形成されていることを特徴とするクレードル。
【請求項２】
前記撮像装置の所定の回動軸と略平行な軸を中心に回動自在の回動部材を備えて、前記支持部がこの回動部材に形成されていることを特徴とする請求項１に記載のクレードル。
【請求項３】
前記回動部材の回動中心が前記撮像装置の所定の回動軸と略同一であることを特徴とする請求項２に記載のクレードル。
【請求項４】
前記回動部材が前記撮像装置の所定の回動軸を中心とする円周方向に摺動自在となるように収納する収納部が形成されていることを特徴とする請求項３に記載のクレードル。
【請求項５】
前記回動部材が前記収納部内で前記円周方向に所定の範囲内のみ摺動するように規制する摺動規制機構を備えていることを特徴とする請求項４に記載のクレードル。
【請求項６】
前記逃げ部は、前記撮像装置の所定の回動軸と平行な第２筐体の下端部を収納する凹形状であって、前記所定の回動軸と直角方向の断面が円弧状に形成されていることを特徴とする請求項１ないし請求項５のいずれかに記載のクレードル。
【請求項７】
表示部を有する第１筐体と、撮像部を有する第２筐体を備えて、前記第１筐体と前記第２筐体とが所定の回動軸回りで回動自在に連結した撮像装置と、
前記撮像装置のクレードルとからなる撮像装置システムであって、
前記クレードルは、
前記第２筐体の前記第１筐体に対する回動を許容する逃げ部が形成されると共に、
前記撮像装置を載置したときに該撮像装置内の電気回路と回路接続する出力端子と、
前記第１筐体を支持する支持部が形成され、前記撮像装置の所定の回動軸と略平行な軸を中心に回動自在の回動部材と、
前記回動部材の摺動を検出する検出部と、
前記検出部の検出信号を前記出力端子に出力する制御回路とを備え、
前記撮像装置は、
前記クレードルに載置したときに前記クレードル内の出力端子と接続する入力端子と、
前記入力端子より前記クレードルの前記検出信号を受信した場合に、自動的に電源投入する制御部とを備えていることを特徴とする撮像装置システム。
【発明の詳細な説明】
【技術分野】
【０００１】
本発明は、撮像装置を載置するためのクレードル、及び撮像装置とクレードルを備える撮像装置システムに関するものである。
【背景技術】
【０００２】
従来において、撮像装置を載置するためのクレードル（載置台）があった。以後の説明において、撮像装置と、これに対応するクレードルの組合せを撮像装置システムということとする。このような撮像装置システムについては、様々な改良が行なわれている。
【０００３】
例えば、撮像装置が充電により繰り返し使うことができる２次電池を搭載すると共に、クレードルに充電機能を備えさせるようにしたことにより、撮像装置をクレードルに載置すると、互いの電気回路の端子が接続して、自動的に充電を開始するようになっている撮像装置システムがあった。また、撮像装置をクレードルに載置したままの状態で、この撮像装置に撮影を行なわせることができるようになっている撮像装置システムがあった。
【０００４】
また、図８に示すように、撮像装置２にスライド式のレンズカバー４が備わっているような場合には、この撮像装置２をクレードル６に載置した状態で、レンズカバー４をスライドさせることができるように、クレードル６にレンズカバー４に対応する逃げ部８を形成した撮像装置システム１０があった。
【０００５】
また、図示しないが、撮像装置を載置すると充電を開始するクレードルの機能をプリンタに複合させることにより、プリンタ上に設けられた接続部に撮像装置を載置すると、撮像装置の２次電池に充電を行なうことができると共に、撮像装置で撮影した画像をプリンタから印刷することができるようにした、撮像装置とプリンタの組合せがあった（例えば、特許文献１参照）。
【０００６】
また、撮像装置を載置するためのクレードルと同様に、携帯電話機を載置するためのクレードルにも様々なものがあった。例えば、図９に示すように、携帯電話機１８に対応して、ケース本体２０とケース蓋２２の互いの端部２０ａ，２２ａが回動可能に連結されたクレードル２４があった。このクレードル２４は、図示しないが、使用しない場合には、プラグ２６とコード２８をケース本体２０内に収納して、ケース蓋２２を閉じておくことができた。
【０００７】
そして、携帯電話機１８に充電する場合には、プラグ２６とコード２８をケース本体２０内から引出すと共に、図中の破線矢印Ａのように、ケース蓋２２を２７０度ないし３００度ぐらい回動して直立させ、ケース蓋２２に形成された台座２２ｂに携帯電話機１８を載置することができるようになっていた。このようなクレードル２４の構造は、撮像装置に対応するクレードルにも適用することができる。
【０００８】
一方、図１０に示すように、表示部３２を有する第１筐体３４と、撮像部３６を有する第２筐体３８を備えて、第１筐体３４と第２筐体３８が、隣り合うように互いの長さ方向に並んで配置されると共に、これらの長さ方向と略平行である軸線を中心として回動自在に連結されるようになっている撮像装置３０があった。
【０００９】
この撮像装置３０は、図１１に示すように、第１筐体３４の表示部３２の表示方向と、第２筐体３８の撮像部３６の撮像方向のそれぞれを調節するために、矢印Ｂ又は矢印Ｃの方向に、第１筐体３４と第２筐体３８を互いにひねるように回動させた姿勢にすることができた。
【特許文献１】特開平１１−８７９２号公報
【発明の開示】
【発明が解決しようとする課題】
【００１０】
しかしながら、この撮像装置３０は、対応するクレードルとして、従来のクレードルのいずれかと同様の構造を有するようなクレードルに載置したままの状態では、第１筐体３４と第２筐体３８の両方がクレードルに当接して、第２筐体３８だけを独立して回動させることができず、撮影のときに第２筐体３８を回動して撮像方向を調節することができなくなってしまうという問題があった。
【００１１】
また、同様に、撮像装置３０は、従来のクレードルのいずれかと同様の構造を有するようなクレードルに載置すると、第１筐体３４を回動して表示部３２の表示方向を調節することができなくなってしまうという問題があった。
【００１２】
そこで本発明は、上記問題点に鑑みて、表示部を有する第１筐体と、撮像部を有する第２筐体を備えて、第１筐体と第２筐体が、隣り合うように互いの長さ方向に並んで配置されると共に、これらの長さ方向と略平行である軸線を中心として回動自在に連結される撮像装置を載置したままの状態で、この撮像装置の撮像部の撮像方向又は／及び表示部の表示方向を調節することができるクレードル、及びこのような撮像装置とクレードルを備える撮像装置システムを提供することを課題とするものである。
【課題を解決するための手段】
【００１３】
上記課題を解決するために本発明は、
表示部を有する第１筐体と、撮像部を有する第２筐体を備えて、前記第１筐体と前記第２筐体とが所定の回動軸回りで回動自在に連結した撮像装置のクレードルであって、
前記第１筐体を支持する支持部と、
前記第２筐体の前記第１筐体に対する回動を許容する逃げ部とが形成されていることを特徴とするものである。
【００１４】
また、本発明は、
前記撮像装置の所定の回動軸と略平行な軸を中心に回動自在の回動部材を備えて、前記支持部がこの回動部材に形成されるようにすることができる。
【００１５】
また、本発明のクレードルは、前記回動部材の回動中心が前記撮像装置の所定の回動軸と略同一であるようにすることができる。
【００１６】
また、本発明のクレードルは、前記回動部材が前記撮像装置の所定の回動軸を中心とする円周方向に摺動自在となるように収納する収納部が形成されるようにすることができる。
【００１７】
また、本発明のクレードルは、前記回動部材が前記収納部内で前記円周方向に所定の範囲内のみ摺動するように規制する摺動規制機構を備えるようにすることができる。
【００１８】
また、本発明のクレードルは、前記逃げ部は、前記撮像装置の所定の回動軸と平行な第２筐体の下端部を収納する凹形状であって、前記所定の回動軸と直角方向の断面が円弧状に形成されるようにすることができる。
【００１９】
また、本発明は、
表示部を有する第１筐体と、撮像部を有する第２筐体を備えて、前記第１筐体と前記第２筐体とが所定の回動軸回りで回動自在に連結した撮像装置と、
前記撮像装置のクレードルとからなる撮像装置システムであって、
前記クレードルは、
前記第２筐体の前記第１筐体に対する回動を許容する逃げ部が形成されると共に、
前記撮像装置を載置したときに該撮像装置内の電気回路と回路接続する出力端子と、
前記第１筐体を支持する支持部が形成され、前記撮像装置の所定の回動軸と略平行な軸を中心に回動自在の回動部材と、
前記回動部材の摺動を検出する検出部と、
前記検出部の検出信号を前記出力端子に出力する制御回路とを備え、
前記撮像装置は、
前記クレードルに載置したときに前記クレードル内の出力端子と接続する入力端子と、
前記入力端子より前記クレードルの前記検出信号を受信した場合に、自動的に電源投入する制御部とを備えていることを特徴とするものである。
【発明の効果】
【００２０】
このようなクレードル及び撮像装置システムによれば、表示部を有する第１筐体と、撮像部を有する第２筐体を備えて、第１筐体と第２筐体が、隣り合うように互いの長さ方向に並んで配置されると共に、これらの長さ方向と略平行である軸線を中心として回動自在に連結される撮像装置を載置したままの状態で、この撮像装置の撮像部の撮像方向又は／及び表示部の表示方向を調節することができる。
【発明を実施するための最良の形態】
【００２１】
以下、本発明に係るクレードル及び撮像装置システムの実施の形態について、図面に基づいて具体的に説明する。
【００２２】
図１及び図２は、本発明の第１の実施の形態に係る撮像装置システム４０について説明するために参照する図である。これらの図に示す撮像装置システム４０の撮像装置４１は、従来の撮像装置３０と同様の部分には同じ符号を付して説明し、従来と同様の構成についての重複する説明は省略するものとする。
【００２３】
図１に示すように、撮像装置４１は、従来の撮像装置３０と同様に、第１筐体３４と第２筐体３８を互いに回動させることができるようになっているが、この第１筐体３４と第２筐体３８の回動軸線を、以後の説明において、撮像装置４１の回動軸線ということとする。
【００２４】
図２に示すように、本実施の形態に係るクレードル４２には、その長さ方向に平行であって、断面が矩形の溝状になっている溝部４４（支持部）が形成されている。そして、図１に示すように、撮像装置４１は、第１筐体３４の幅方向の一方の端部３４ａを溝部４４に嵌め込むようにして、回動軸線がクレードル４２の長さ方向と平行になるような姿勢で、このクレードル４２上に載置することができるようになっている。
【００２５】
また、クレードル４２には、撮像装置４１の第２筐体３８に対応して、逃げ部４６が形成されている。図２に示すように、この逃げ部４６は、撮像装置４１の回動軸線と直角方向の断面がこの回動軸線を中心とする円弧状になっていて、その半径が第２筐体３８の回動半径よりも若干長くなっている。
【００２６】
このような本実施の形態に係るクレードル４２及び撮像装置システム４０によれば、撮像装置４１をクレードル４２上に載置したままの状態で、第２筐体３８を回動させることができるので、撮像部３６の撮像方向を調節することができる。
【００２７】
次に、図３ないし図７に基づいて、本発明の第２の実施の形態に係る撮像装置システム５０について説明する。これらの図に示す撮像装置システム５０の撮像装置５１及びクレードル５２について、前記第１の実施の形態に係る撮像装置４１及びクレードル４２と同一の構成についての重複する説明は省略するものとする。
【００２８】
図３に示すように、本実施の形態に係るクレードル５２は、本体部材５４と回動部材５６を備えている。撮像装置の第１筐体３４を支持するための溝部４４は、回動部材５６に形成されていて、本体部材５４には、この回動部材５６を収納する収納部５８が形成されている。また、前記第１の実施の形態に係るクレードル４２と同様に、撮像装置５１の第２筐体３８に対応する逃げ部４６が形成されている。
【００２９】
したがって、図４に示すように、本実施の形態に係る撮像装置システム５０は、前記第１の実施の形態に係る撮像装置システム４０と同様に、撮像装置５１を回動軸線がクレードル５２の長さ方向と平行になるような姿勢で、このクレードル５２上に載置することができるようになっている。
【００３０】
また、図３において撮像装置５１は図示されていないが、回動部材５６は、撮像装置５１を載置したときにおけるこの撮像装置５１の回動軸線と直角方向の断面の外形が、収納部５８側において、この回動軸線を中心とする円弧状になっている。
【００３１】
また、収納部５８は、撮像装置５１の回動軸線と直角方向の断面の形状が、回動部材５６の円弧状の外形に対応して円弧状に当接しているので、回動部材５６は、収納部５８の内部において、撮像装置５１の回動軸線を中心とする円周方向に摺動することができるようになっている。
【００３２】
また、図５に示すように、クレードル５２は、その回動部材５６内のプリント配線基板５９に固定されて、溝部４４の底面４４ａに形成された孔部６０から突出するオス型のコネクタ６１（出力端子）を備えている。そして、このコネクタ６１は、図４に示すように、撮像装置５１がクレードル５２に載置されたときに、第１筐体３４に設けられた不図示のメス型のコネクタ（入力端子）に挿し込まれて電気的に接続するようになっている。
【００３３】
また、図５に示すように、回動部材５６には、本体部材５４内に突出するピン６２が設けられている。図６に示すように、本体部５４には、このピン６２に対応して、長さ方向が円弧状になっている溝部６４が形成されており、回動部材５６が円周方向に摺動したときに、ピン６２が溝６４内を移動するようになっていて、摺動規制機構としての役割を果たすようになっている。
【００３４】
すなわち、回動部材５６が、円周方向を時計回り又は反時計回りに所定の範囲まで摺動すると、ピン６２が溝部６４の端部６４ａ又は端部６４ｂに突き当たることにより、回動部材５６が停止するようになっている。
【００３５】
また、図５に示すように、本体部材５４の内部には、回動部材５６が円周方向に摺動したときに、これをピン６２の移動により検出する検出部６６が設けられている。このような検出部６６としては、例えば、ピン６２と機械的に接触して検出を行なうようになっているものを用いることができる。また、電気的、磁気的又は光学的に検出するようになっているものであってもよい。
【００３６】
検出部６６は、回動部材５６が円周方向に摺動したことを検出した場合には、その旨の検出信号を回動部材５６内のプリント配線基板５９に出力する。プリント配線基板５９に回路構成されている制御回路は、検出部６６からの検出信号を受信すると、この検出信号をコネクタ６１に出力するようになっている。
【００３７】
図４に示すように、撮像装置５１がクレードル５２に載置されているときには、この撮像装置５１は、コネクタ６１に回路接続されるので、検出部６６から出力された検出信号をプリント配線基板５９の制御回路を介して受信することができる。
【００３８】
撮像装置５１は、そのブロック図について図示しないが、電源を切った状態でクレードル５２に載置した際に、検出部６６からの検出信号を受信すると、この撮像装置５１の制御部が、自動的に自身の電源を投入して起動するようになっている。
【００３９】
このような撮像装置システム５０は、撮像装置５１をクレードル５２に載置したままで撮影することができる。
【００４０】
すなわち、図４に示すように、撮像装置５１は、その第１筐体３４と第２筐体３８が回動していない姿勢で、クレードル５２に載置された状態から、図７に示すように、第２筐体３８を回動させて、撮像部３６の撮像方向を調節することができる。また、第１筐体３４を回動させて、表示部３２の表示方向をユーザーの見やすい向きに調節することができる。
【００４１】
ここで、クレードル５２の回動部材５６の回動中心は、撮像装置５１の回動軸と略一致するようになっている。したがって、撮像装置５１の第２筐体３８が第１筐体３４に対して独自に回動した場合、第１筐体３４及び回動部材５６が第２筐体３８に対して独自に回動した場合、並びに第１筐体３４、第２筐体３８及び回動部材５６が一緒に回動した場合のそれぞれについて、全て回動中心が一致するようになっているので、良好な操作性を得ることができるようになっている。
【００４２】
また、図４に示すように、電源が切ってある状態の撮像装置５１をクレードル５２に載置した後に、図７に示すように、第１筐体３４を回動部材５６の溝部４４に嵌め込んだ状態のままで回動させると、撮像装置５１の電源を自動的に投入させることができるようになっている。
【００４３】
このような本実施の形態に係るクレードル５２及び撮像装置システム５０によれば、撮像装置５１を載置したままの状態で、この撮像装置５１の撮像部３６の撮像方向及び表示部３２の表示方向を調節することができる。
【００４４】
また、電源が切た状態の撮像装置５１をクレードル５２に載置した後に、第１筐体３４を回動部材５６と一緒に回動させることにより、撮像装置５１の電源を自動的に投入させることができる。
【００４５】
なお、前記第２の実施の形態において、コネクタ６１は、撮像装置５１に回路接続して検出部６６の検出信号を出力するだけであったが、撮像装置５１の２次電池に対して充電する機能を備えるようになっていてもよいことはいうまでもない。
【図面の簡単な説明】
【００４６】
【図１】本発明の第１の実施の形態に係る撮像装置システム４０を示す斜視図である。
【図２】本発明の第１の実施の形態に係るクレードル４２を示す斜視図である。
【図３】本発明の第２の実施の形態に係るクレードル５２を示す斜視図である。
【図４】本発明の第２の実施の形態に係る撮像装置システム５０を示す斜視図である。
【図５】図３に示すクレードル５２の側面断面図である。
【図６】図５に示すクレードル５２のＤ−Ｄ矢視の断面図である。
【図７】図４に示す撮像装置システム５０であって、撮像方向及び表示方向を変化させた状態を示す斜視図である。
【図８】従来の撮像装置システム１０を示す斜視図である。
【図９】従来のクレードル２４を示す斜視図である。
【図１０】従来の撮像装置３０を示す斜視図である。
【図１１】図１０に示す従来の撮像装置３０であって、撮像方向を変化させた状態を示す斜視図である。
【符号の説明】
【００４７】
２  撮像装置
４  レンズカバー
６  クレードル
８  逃げ部
１０  撮像装置システム
１８  携帯電話機
２０  ケース本体
２０ａ  端部
２２  ケース蓋
２２ａ  端部
２２ｂ  台座
２４  クレードル
３０  撮像装置
３２  表示部
３４  第１筐体
３４ａ  端部
３６  撮像部
３８  第２筐体
４０  撮像装置システム
４１  撮像装置
４２  クレードル
４４  溝部（支持部）
４４ａ  底面
４６  逃げ部
５０  撮像装置システム
５１  撮像装置
５２  クレードル
５４  本体部材
５６  回動部材
５８  収納部
５９  プリント配線基板
６０  孔部
６１  コネクタ
６２  ピン
６４  溝部
６４ａ，６４ｂ  端部
６６  検出部
【図１】
2005191704.tif 000003
【図２】
2005191704.tif 000004
【図３】
2005191704.tif 000005
【図４】
2005191704.tif 000006
【図５】
2005191704.tif 000007
【図６】
2005191704.tif 000008
【図７】
2005191704.tif 000009
【図８】
2005191704.tif 000010
【図９】
2005191704.tif 000011
【図１０】
2005191704.tif 000012
【図１１】
2005191704.tif 000013